(57)【要約】【課題】集塵装置を設けた電気掃除機において、集塵装置を清掃中に掃除機本体が移動用車輪の回転によって移動し、階段からの落下や家具などへの衝突により傷つけたり破損したりすることを防止する。【解決手段】電動送風機４と集塵装置１１を内蔵する電気掃除機１の本体と、本体の下部に設けた移動用車輪４１ａ、４１ｂを有し、本体の移動を規制する移動規制手段としてのストッパー４０を備え、集塵装置１１を本体の集塵装置収納部３より取り出した際に、ストッパー４０が移動用車輪４１ａの回転をロックすることで本体の移動を規制するようにした。【選択図】図３
2008178498.tif 000002
【特許請求の範囲】
【請求項１】
電動送風機と集塵装置を内蔵する本体と、前記本体の下部に設けた移動用車輪と、前記本体の移動を規制する移動規制手段とを備え、前記移動規制手段は前記集塵装置を前記本体より取り出した際に本体の移動を規制することを特徴とする電気掃除機。
【請求項２】
移動規制手段は、移動用車輪の回転をロックすることで本体の移動を規制することを特徴とする請求項１に記載の電気掃除機。
【請求項３】
移動規制手段は、集塵装置と当接する第１の当接部と移動用車輪に当接する第２の当接部を有し、前記集塵装置の本体からの着脱による前記第１の当接部との当接の有無に応じて前記第２の当接部により移動用車輪の回転をロックまたはロックの解除を行うことを特徴とする請求項２に記載の電気掃除機。
【請求項４】
移動規制手段は、第２の当接部が移動を規制する方向に付勢する弾性体を有することを特徴とする請求項３に記載の電気掃除機。
【請求項５】
移動規制手段は、床面への接触片を有し、集塵装置を前記本体より取り出した際に前記接触片が床面に接触することにより本体の移動を規制することを特徴とする請求項１に記載の電気掃除機。
【発明の詳細な説明】
【技術分野】
【０００１】
本発明は移動用車輪を備えた電機掃除機に関するものである。
【背景技術】
【０００２】
移動用の車輪を設けた電気掃除機において、集塵装置の着脱に際して本体の移動が出来なくする構成として、集塵装置の係止具と連動して移動用車輪に制動を掛けるように構成したものが知られている（例えば、特許文献１参照）。
【特許文献１】実公昭４５−２７８３５号公報
【発明の開示】
【発明が解決しようとする課題】
【０００３】
しかしながら、前記従来の構成は、集塵装置が本体に対して水平方向に着脱される構成において、本体が動くと集塵装置を片手で取り出しにくいという課題を解決するためのものであり、また、集塵容器を取り出す前に係止具を外すという操作が必要であり、手間がかかるものであった。
【０００４】
本発明は、前記従来の課題を解決するもので、ごみ捨てを行う等の理由で集塵装置を電気掃除機から取り出し、本体の移動を防止することにより、階段から落下したり、壁に衝突する等で傷つけたりといった恐れのない電気掃除機を提供するものである。
【課題を解決するための手段】
【０００５】
上記課題を解決するために本発明の電気掃除機は、電動送風機と集塵装置を内蔵する本体と、前記本体の下部に設けた移動用車輪と、前記本体の移動を規制する移動規制手段とを備え、前記移動規制手段は前記集塵装置を前記本体より取り出した際に本体の移動を規制することを特徴とするもので、ごみ捨てを行う等の理由で集塵装置を電気掃除機から取り出した際に、本体の移動を防止することにより、電気掃除機から人が離れた時に、幼児等が触れることで電気掃除機が階段から落下したり、電気掃除機を置いた場所が傾斜して移動してしまい壁に衝突する等で傷つけたりすることを防止できるものである。
【発明の効果】
【０００６】
本発明の電気掃除機は、集塵装置を取り出すことにより本体の移動を規制することが出来るので、無人となった後に電気掃除機が勝手に移動することがないので、階段からの落下や壁や家具への衝突によって傷つけることを防止することができる。
【発明を実施するための最良の形態】
【０００７】
第１の発明は、電動送風機と集塵装置を内蔵する本体と、前記本体の下部に設けた移動用車輪と、前記本体の移動を規制する移動規制手段とを備え、前記移動規制手段は前記集塵装置を前記本体より取り出した際に本体の移動を規制することを特徴とするもので、ごみ捨てのために前記集塵装置を前記電気掃除機から取り外し、前記電気掃除機を傾斜面等に置いた場合、前記電気掃除機に備えられた移動用車輪によって移動し、階段からの落下や壁や家具への衝突によって傷つけることを防止することができる。
【０００８】
第２の発明は、特に第１の発明において、移動規制手段は、前記移動用車輪の回転をロックすることで本体の移動を規制することを特徴とするもので、確実に本体の移動を防止できる。
【０００９】
第３の発明は、特に第２の発明において、移動規制手段は、集塵装置と当接する第１の当接部と移動用車輪に当接する第２の当接部を有し、前記集塵装置の本体からの着脱による前記第１の当接部との当接の有無に応じて前記第２の当接部により移動用車輪の回転をロックまたはロックの解除を行うことを特徴とするもので、簡単な構成で集塵装置の着脱に応じて移動用車輪の回転のロック及びその解除が可能となる。
【００１０】
第４の発明は、特に第３の発明において、移動規制手段は、第２の当接部が移動を規制する方向に付勢する弾性体を有することを特徴とするもので、弾性体による接触圧を増すことが出来、移動の規制を確実に行うことが出来る。
【００１１】
第５の発明は、特に第１の発明において、移動規制手段は、床面への接触片を有し、集塵装置を前記本体より取り出した際に前記接触片が床面に接触することにより本体の移動を規制することを特徴とするもので、移動規制手段を任意の個所に設置できる。
【００１２】
以下、本発明の実施の形態について、図面を参照しながら説明する。なお、この実施の形態によってこの発明が限定されるものではない。
【００１３】
（実施の形態１）
図１に示すように、電気掃除機１は本体ケース６で囲われ、移動用車輪４１ａ、４１ｂが取り付けられている。また、電気掃除機１には、前方にホースを差し込むための吸込口２が設けられ、この吸込口２の後方に、集塵装置１１が収納される集塵装置収納部３が形成され、さらにこの集塵装置収納部３の後方に電動送風機４が内蔵される電動送風機室５が設けられている。
【００１４】
吸込口２には、ホース挿入部９が設けられ、また、集塵装置収納部３をシールするためのシール手段であるパッキンインレット１０が設けられている。
【００１５】
集塵装置収納部３は、上面が開口しており、この開口は本体ケース６に一端を回動自在に支持された外蓋７により開閉される。また、開口の周縁部には、外蓋７を閉じた時、開口をシールするパッキン８が設けられている。
【００１６】
集塵装置収納部３に収納される集塵装置１１は、ＡＢＳ樹脂等の透明樹脂でできており、前側に吸込口２と連通するための連通穴１２が設けてあり、この連通穴１２には逆止弁１３が取付けられ、この逆止弁１３はパッキンインレット１０に一側が接合している。
【００１７】
また、集塵装置１１は、図２に示すように、集塵ボックス１１ａと後側のフィルター部１１ｂからなり、後側のフィルター部１１ｂは、枠体２３と一体成形されたフィルター２２から形成される。枠体２３の集塵ボックス１１ａ側には全周にシール手段であるシールパッキン２４ａが設けられ、フィルター部１１ｂを閉じたとき、集塵ボックス１１ａと密封できる。フィルター部１１ｂは、枠体２３の下側に設置された２箇所のヒンジ部２５により集塵ボックス１１ａに開閉可能に取付けられ、集塵ボックス１１ａ、フィルター部１１ｂ、集塵ボックス１１ａ上側に設置された爪部１１ｃ、および枠体２３の上側に設置されたストッパー部２６が嵌合することによって１１ａとフィルター部１１ｂが密閉する構成となっている。フィルター２２は、プリーツ加工（断面波形状に加工）された細塵用フィルターであり、プリーツ加工された断面波形状の山と谷の折り目の方向はフィルター全体で上下方向に揃えてある。なお、図２では、フィルター２２の前に設置された粗塵を集塵するためのプレフィルター２７（図１で図示）の図示は省略している。
【００１８】
また、図１に示しているように、集塵装置１１のフィルター部１１ｂのフィルター２２の後側、即ち、枠体２３の開口周辺部と電動送風機室に通じる集塵装置収納部３の後壁との結合部に、シール手段であるシールパッキン２４ｂが設けられ、集塵装置１１が集塵装置収納部３に収納されたとき、フィルター部１１ｂの後側の周辺部と集塵装置収納部３の後壁とをシールする。このシールパッキン２４ｂは枠体２３に一体に成形される。このように構成された集塵装置１１は、集塵装置収納部３に収納されたとき、シール手段により、吸入口と逆止弁との接合部、本体部と蓋体部との接合部及び蓋体部の後部の開口周辺部と集塵装置収納部の後壁との接合部をシールすることにより、集塵装置収納部３から密閉される。
【００１９】
次の本願発明の主要部について、図３を用いて説明する。
【００２０】
図３に示すように、集塵装置収納部３には移動規制手段として、前方の移動用車輪４１ａの回転をロックするためのストッパー４０が軸部４３によって電気掃除機１に回動可能に取り付けられている。ストッパー４０は、本体部４０ａと本体部略中央に設けたヒンジ部４０ｂと集塵装置収納部３側に設け集塵装置１１に当接する第１の当接部４０ｃと移動用車輪４１ａに当接する第２の当接部４０ｄとからなり、ヒンジ部４０ｂにより軸部４３に回動自在に軸支されている。
【００２１】
また、第２の当接部には移動用車輪４１ａとの接触部にゴムなどの摩擦係数の大きな材料からなる高摩擦体４４を装着すると共に、第２の当接部４０ｄを移動用車輪４１ａ側に付勢する為の弾性体としてねじりコイルばね４５（以後、ばねと称す）を軸部４３に備えている。
【００２２】
次にこの構成による電気掃除機の動作について図３、図４を用いて説明する。
【００２３】
図４に示すように、集塵装置１１に溜まった塵埃を捨てるために、集塵装置１１を取り出すと、ストッパー４０は軸部４３を中心に回動し、第２の当接部４０ｄが移動用車輪４１ａの回転面と接触することにより回転がロックされる。ストッパー４０には高摩擦体４４を備えており、この高摩擦体４４が移動用車輪に接触し、かつ、ばね４５による付勢により接圧が増加されるために移動用車輪４１ａの回転のロックを確実に行うことが出来る。
【００２４】
次に、集塵装置１１に溜まった塵埃を捨てた後に再び集塵装置１１を集塵装置収納部３に収納すると、ストッパー４０の第１の当接部４０ｃが集塵装置１１の底面により押されることで軸部４３を中心に回動し、移動用車輪４１ａとの接触が解除され、電気掃除機１は移動可能となる。
【００２５】
従って、集塵装置を電気掃除機から取り出した際に、本体の移動を防止することができ、電気掃除機から人が離れた時に、幼児等が触れることで電気掃除機が階段から落下したり、電気掃除機を置いた場所が傾斜して移動してしまい壁に衝突する等で傷つけたりすることを防止することができる。
【００２６】
（実施の形態２）
図５は、本発明の第２の実施の形態における電気掃除機の要部側面断面図である。なお上記第１の実施の形態における電気掃除機用吸込具と同一部分については、同一符号を付してその説明を省略する。
【００２７】
図５において、移動規制手段であるストッパー４６は、略Ｌ字形状の本体部４６ａと本体部略中央に設けたヒンジ部４６ｂと集塵装置収納部３側に設け集塵装置１１に当接する当接部４６ｃと被掃除面４７に当接する接触片４６ｄとからなり、ヒンジ部４６ｂにより軸部４３に回動自在に軸支されている。接触片４６ｄには被掃除面４７との接触部にゴムなどの摩擦係数の大きな材料からなる高摩擦体４８を装着すると共に、接触片４６ｄを被掃除面４７側に付勢する為の弾性体として圧縮コイルばね４９（以後、ばねと称す）をケース１の底面に設けたばね装着部５０と当接部４６ｃ間に備えている。
【００２８】
次にこの構成における電気掃除機の動作について図５、図６を用いて説明する。
【００２９】
図６に示すように、集塵装置１１に溜まった塵埃を捨てるために、集塵装置１１を取り出すと、ストッパー４６は軸部４３を中心に回動し、接触片４６ｄが被掃除面４７と接触することにより電気掃除機１の移動が規制される。接触片４６ｄの先端には高摩擦体４８を備えており、この高摩擦体４８が被掃除面４７に接触し、かつ、ばね４９による付勢により接圧が増加されるために移動の規制を確実に行うことが出来る。
【００３０】
次に、集塵装置１１に溜まった塵埃を捨てた後に再び集塵装置１１を集塵装置収納部３に収納すると、ストッパー４６の当接部４６ｃが集塵装置１１の底面に押されることで軸部４３を中心に回動し、被掃除面４７との接触が解除され、電気掃除機１は移動可能となる。
【００３１】
従って、実施の形態１と同様に、集塵装置を電気掃除機から取り出した際に、本体の移動を防止することが可能となる。
【産業上の利用可能性】
【００３２】
以上のように、本発明にかかる移動規制手段付きの電気掃除機は、集塵装置が電気掃除機本体から取り外された際に、電気掃除機に取り付けられた車輪によって移動することで、階段からの落下や家具などへの衝突による傷や破損を防ぐことができる。
【図面の簡単な説明】
【００３３】
【図１】本発明の第１の実施の形態の電気掃除機を示す側面断面図
【図２】本発明の第１の実施の形態の集塵装置の斜視図
【図３】本発明の第１の実施の形態の移動規制手段の断面図
【図４】本発明の第１の実施の形態の集塵装置を取り外した時の移動規制手段の状態を示した断面図
【図５】本発明の第２の実施の形態の移動規制手段断面図
【図６】本発明の第２の実施の形態の集塵装置を取り外した時の移動規制手段の状態を示した断面図
【符号の説明】
【００３４】
１      電気掃除機
３      集塵装置収納部
４      電動送風機
１１    集塵装置
４０、４６  ストッパー（移動規制手段）
４０ｃ  第１の当接部
４０ｄ  第２の当接部
４１ａ  移動用車輪
４１ｂ  移動用車輪
４５    ねじりコイルばね（弾性体）
４６ｄ  接触片
４９    圧縮コイルばね（弾性体）
【図１】
2008178498.tif 000003
【図２】
2008178498.tif 000004
【図３】
2008178498.tif 000005
【図４】
2008178498.tif 000006
【図５】
2008178498.tif 000007
【図６】
2008178498.tif 000008